(57)【要約】  エアインターフェースのインフラ機能性を提供する複数のスモールセルを含む通信ネットワークが提供される。本開示の態様は、個々のスモールセル内部でサポートされる複数のエアインターフェースに従ったスモールセル間通信の管理に関連する。さらに、本開示の態様は、複数のスモールセルを実装する通信ネットワークに従ったスモールセル内通信の管理に関連する。他の態様では、スモールセルは、コントローラの使用を通じて、または、スモールセル間で生じる無線接続を活用することにより、ハンドオーバを調整する。さらなる態様では、スモールセルは、スモールセル内部での複数のエアインターフェース規格の利用を可能にする。
2014529979.tif 000002
【特許請求の範囲】
【請求項１】
異種ネットワークにおいて、
１つまたは複数のマクロセルであって、各マクロセルは、より長い範囲のエアインターフェース規格に従ってモバイル装置と無線通信するように構成される、マクロセルと、
１つまたは複数のスモールセルであって、各スモールセルは、前記より長い範囲のエアインターフェース規格、およびより短い範囲のエアインターフェース規格に従って前記モバイル装置と無線通信するように構成される、スモールセルと、
を含み、
前記１つまたは複数のスモールセルは、前記より長い範囲のエアインターフェース規格のためのホームエージェントノードおよびフォーリンエージェントノードと、前記より短い範囲のエアインターフェース規格のためのホームエージェントノードおよびフォーリンエージェントノードと、を含み、
前記より長い範囲のエアインターフェース規格のための前記ホームエージェントノード、および前記より短い範囲のエアインターフェース規格のための前記ホームエージェントノードは、異なるネットワークアドレスと関連しており、
前記より長い範囲のエアインターフェース規格に従って開始された通信は、前記より長い範囲のエアインターフェース規格のための前記ホームエージェントと、前記より長い範囲のエアインターフェース規格のための前記フォーリンエージェントノードとの間の通信チャネルを利用し、
前記１つまたは複数のスモールセルは、前記より長い範囲のインターフェース規格のための前記ホームエージェントと、前記より短い範囲のエアインターフェース規格のための前記フォーリンエージェントノードとの間の通信トンネルを利用することにより、セル内ハンドオーバを実行するように構成される、ネットワーク。
【請求項２】
請求項１に記載のネットワークにおいて、
前記より長い範囲のエアインターフェース規格は、ロング・ターム・エボリューション・エアインターフェース規格に対応する、ネットワーク。
【請求項３】
請求項１に記載のネットワークにおいて、
前記より短い範囲のエアインターフェース規格は、ＩＥＥＥ８０２．１１  エアインターフェース規格に対応する、ネットワーク。
【請求項４】
請求項１に記載のネットワークにおいて、
前記１つまたは複数のスモールセルは、マクロセルとスモールセルとの間でハンドオーバを実行するように構成される、ネットワーク。
【請求項５】
請求項１に記載のネットワークにおいて、
前記１つまたは複数のスモールセルは、スモールセルとスモールセルとの間でハンドオーバを実行するように構成される、ネットワーク。
【請求項６】
請求項１に記載のネットワークにおいて、
前記より短い範囲のエアインターフェース規格に従って開始された通信は、前記より短い範囲のエアインターフェース規格のための前記ホームエージェントと、前記より短い範囲のエアインターフェース規格のための前記フォーリンエージェントノードとの間の通信チャネルを利用する、ネットワーク。
【請求項７】
請求項６に記載のネットワークにおいて、
前記１つまたは複数のスモールセルは、前記より短い範囲のインターフェース規格のための前記ホームエージェントと、前記より長い範囲のエアインターフェース規格のための前記フォーリンエージェントノードとの間の通信トンネルを利用することにより、セル内ハンドオーバを実行するように構成される、ネットワーク。
【請求項８】
ユーザ機器との通信を管理する方法において、
セルの第１のノードにおいて、コアネットワークとの通信を引き起こすことであって、前記第１のノードは、第１のエアインターフェース規格のホームエージェントノードに対応しており、第１のネットワークアドレスと関連している、ことと、
前記セルの第２のノードにおいて、前記第１のエアインターフェース規格に従ったユーザ機器との通信を確立させることであって、前記第２のノードは、前記第１のエアインターフェース規格と関連したフォーリンエージェントノードに対応する、ことと、
前記セルの前記第１のノードにおいて、前記第１のエアインターフェース規格に関連した前記第１および第２のノード間に第１の通信トンネルを確立することと、
前記セルの前記第１のノードにおいて、セル内ハンドオーバの表示を入手することと、
前記セルの第３のノードにおいて、第２のエアインターフェース規格に従ったユーザ機器との通信を確立させることであって、前記第３のノードは、前記第２のエアインターフェース規格と関連したフォーリンエージェントノードに対応する、ことと、
前記セル内ハンドオーバの前記表示に対応して、前記第１および第３のノード間の第２の通信トンネルを利用して、前記セルの前記第１のノードにおいて通信を有効にすることと、
を含み、
前記セルの前記第１のノードと前記コアネットワークとの間の通信は、前記第１のネットワークアドレスに対応し続ける、方法。
【請求項９】
請求項８に記載の方法において、
前記１つまたは複数のセルは、前記第１のエアインターフェース規格のみに従った前記モバイル装置との通信と関連したハンドオーバを実行するようにさらに構成される、方法。
【請求項１０】
請求項８に記載の方法において、
前記第１のエアインターフェース規格は、比較的大きな地理的範囲と関連したエアインターフェース規格に対応する、方法。
【請求項１１】
請求項８に記載の方法において、
前記第２のエアインターフェース規格は、比較的短い地理的範囲と関連したエアインターフェース規格に対応する、方法。
【請求項１２】
請求項８に記載の方法において、
前記第１および第２の通信トンネルは、モバイルＩＰ通信トンネルに対応する、方法。
【請求項１３】
請求項８に記載の方法において、
前記セルの前記第１のノードにおいて、セル内ハンドオーバの第２の表示を入手することと、
前記セル内ハンドオーバの前記第２の表示に対応して、前記セルの前記第１のノードにおいて、前記第１および第２のノード間の前記第１の通信トンネルを利用して通信を有効にすることと、
をさらに含む、方法。
【請求項１４】
装置において、
第１のエアインターフェース規格に従って通信を促進するように構成された第１の無線装置構成要素と、
前記第１のエアインターフェース規格に対応するホームエージェントノードおよびフォーリンエージェントノードと、
第２のエアインターフェース規格に従って通信を促進するように構成された第２の無線装置構成要素と、
前記第２のエアインターフェース規格に対応するホームエージェントノードおよびフォーリンエージェントノードと、
を含み、
前記装置は、前記第１のエアインターフェース規格のための前記ホームエージェントまたは前記第２のエアインターフェース規格のための前記ホームエージェントのうちの少なくとも一方と、これと反対のフォーリンエージェントノードとの間の通信トンネルを利用することにより、セル内ハンドオーバを実行するように構成される、装置。
【請求項１５】
請求項１４に記載の装置において、
前記装置は、前記第１のエアインターフェース規格のみに従った前記モバイル装置との通信と関連したハンドオーバを実行するようにさらに構成される、装置。
【請求項１６】
請求項１４に記載の装置において、
前記装置は、前記第１のエアインターフェース規格または前記第２のエアインターフェース規格のための前記ホームエージェントノードと、これに対応するフォーリンエージェントノードとの間の通信トンネルを利用して、前記第１または第２のエアインターフェース規格のいずれかに従って通信を実行するようにも構成される、装置。
【請求項１７】
請求項１４に記載の装置において、
前記第１のエアインターフェース規格は、比較的大きな地理的範囲と関連したエアインターフェース規格に対応する、装置。
【請求項１８】
請求項１４に記載の装置において、
前記第２のエアインターフェース規格は、比較的短い地理的範囲と関連したエアインターフェース規格に対応する、装置。
【請求項１９】
請求項１４に記載の装置において、
前記１つまたは複数のセルは、前記第１および第２のエアインターフェース規格を実装するセル間でハンドオーバを実行するように構成される、装置。
【請求項２０】
請求項１４に記載の装置において、
第３のエアインターフェース規格に従って通信するように構成された第３の無線装置構成要素をさらに含む、装置。
【請求項２１】
請求項１４に記載の装置において、
前記第１のエアインターフェース規格に従って開始される通信は、第１のネットワークアドレスと関連している、装置。
【請求項２２】
請求項２１に記載の装置において、
セル内ハンドオーバに対応した、前記第２のエアインターフェース規格に従った通信は、前記第１のネットワークアドレスと関連している、装置。
【請求項２３】
請求項１４に記載の装置において、
前記第２のエアインターフェース規格に従って開始される通信は、第２のネットワークアドレスと関連している、装置。
【請求項２４】
請求項２３に記載の装置において、
セル内ハンドオーバに対応した、前記第１のエアインターフェース規格に従った通信は、前記第２のネットワークアドレスと関連している、装置。
【請求項２５】
請求項１４に記載の装置において、
前記通信トンネルは、モバイルＩＰ通信トンネルに対応する、装置。
【発明の詳細な説明】
【開示の内容】
【０００１】
〔背景〕
無線ネットワークは、ネットワークの１つのノードからそのネットワークの１つまたは複数の他のノードに情報を運ぶために電波を使用するネットワークである。有線通信も、セル間またはアクセスポイント間など、無線ネットワークの一部で使用され得る。無線ネットワークは、例えば、衛星通信システム、携帯情報端末（portable digital assistants）（ＰＤＡ）、ラップトップコンピュータ、およびモバイル装置（携帯電話およびユーザ機器を含む）を含む、多くのアプリケーションと関連して使用される。このようなアプリケーションのユーザは、そのユーザがそのような無線通信テクノロジーの範囲内にいる限り、ネットワークに接続することができる。無線通信テクノロジーの範囲は、配置（deployment）によって異なり得る。
【０００２】
セルラー無線ネットワークは、地理的エリアに無線サービスエリア（radio coverage）を提供する基地局の使用により特徴付けられ、複数の基地局が、より大きなエリアにわたってつながった無線サービスエリアを与えるように配列されている。一般的に、移動局が基地局のサービスエリア内部に位置付けられると、移動局は、エアインターフェース通信プロトコル（air interface communication protocol）に従って、基地局と通信することができる。次に、基地局は、１つまたは複数の回路交換方式、パケット交換方式の信号伝達または転送ネットワークにより、移動局に音声およびデータアクセスを与えることができる。
【０００３】
基地局の地理的サービスエリアは、セルの幾何学的形状の点で定義されることがあり、基地局はしばしば「セル」と呼ばれ得る。一般的に、所与のセルと関連付けられるサービスエリアは、地理的にいくつかのセクタに論理的に分割され得、各セクタは、それぞれの基地局の指向性アンテナ構成要素またはアンテナからの放射パターンにより、それぞれ定義される。基地局は、典型的には、いかなる加入者、または特に小さな加入者群とも関係していない。むしろ、サービスプロバイダは、サービスプロバイダの顧客が一般的に使用するための、公的にアクセス可能な場所における基地局を突き止め（location）ようとする。
【０００４】
従来の基地局は、マクロセルトランシーバー（macro cell transceivers）を含み、これらは、典型的には、数キロメートルにわたり、適切に設定されたモバイル装置を有するユーザのために無線通信を提供するように構成される。この無線通信は、第二、第三、または第四世代のエアインターフェース規格などの、１つまたは複数の無線通信エアインターフェース規格に対応する。マクロネットワークのサービスエリアにおけるギャップに対処するため、また、容量制約の軽減など、他の理由で、マクロネットワークサービスプロバイダは最近、ピコセル、ピコ基地局（pico base stations）、ピコＢＴＳ（pico BTSs）および他の名称で呼ばれることもある、ピコセルと呼ばれる、より軽いインフラに関心を示してきている。典型的なピコセル基地局は、数百メートルの特定のピコセル内部で適切に設定されたモバイル装置に無線通信を提供するトランシーバーを含み得る。例示的には、ピコセルは、同じ無線通信エアインターフェース規格に従って動作するように設定される。サービスプロバイダによるマクロセルとピコセルとの組み合わせは、異種ネットワークと考えられることができ、この異種ネットワークでは、サービスプロバイダは、マクロ基地局からピコセル基地局へのトラフィックのオフロードを試みることができる。
【０００５】
第二世代、第三世代、および第四世代のエアインターフェース規格およびそれより先の規格など、マクロセルトランシーバーにより利用されるモバイルエアインターフェース規格をサポートすることに加え、ピコセルは、さらなる無線通信プロトコルをサポートすることができる。ＩＥＥＥ  ８０２．１１通信プロトコルなどの、このようなさらなる無線通信プロトコルは、しばしば（「Ｗｉ‐Ｆｉ」）と呼ばれる。Ｗｉ−Ｆｉ規格は、無免許（unlicensed）であってよいか、または、より伝統的なモバイルエアインターフェース規格とは別様に実装されることができる。
【０００６】
〔詳細な説明〕
一般的に述べて、本開示は、複数のピコセルを含む通信ネットワークに関する。特に、本開示の態様は、個々のピコセル内部でサポートされた複数のエアインターフェースに従った、ピコセル間通信（inter-pico cell communication）の管理に関する。さらに、本開示の態様は、複数のピコセルを実装する通信ネットワークに従った、ピコセル内通信（intra-pico cell communication）の管理に関する。例示的な実施形態では、単一のピコセル内における複数の無線テクノロジー間でのハンドオフは、モバイルＩＰ（ＭＩＰ）規格で使用されるホーム‐フォーリンエージェントテクノロジー（home-foreign agent technology）を利用することができる。他の態様では、ピコセルは、コントローラの使用を通じて、または、ピコセル間に作り出された無線接続を活用することによって、ハンドオフを調整する。さらなる態様では、ピコセルは、例えばクオリティ・オブ・サービス（「ＱｏＳ」）規格の変換（translation）を提供することにより、複数のテクノロジーにわたり、統一された規格を有効にする。本開示の１つまたは複数の態様が、例示的な実施形態または実施例について記載されるが、当業者は、本開示の各態様が別々に実行され得ること、または、態様のさまざまな組み合わせを組み合わせ得ること、を理解するであろう。したがって、本開示の態様の特定の組み合わせが推測されるべきではない。
【０００７】
統一されたアーキテクチャにおいて複数の通信テクノロジー（例えば、複数のエアインターフェース規格に従った通信）をサポートする異種ネットワークは、容量の問題に対して短期の解決策を提供することができる。特に、一実施形態では、マクロベースのセル（macro-base cells）およびピコセルの双方を含み、かつ、より長い範囲の無線エアインターフェース（例えば、第二、第三、または第四世代の無線エアインターフェース規格）およびより短い範囲の無線エアインターフェース（例えば、Ｗｉ‐Ｆｉ）を組み込む、異種ネットワークが提供され得る。このような異種ネットワークは、セキュリティの調整、クオリティ・オブ・サービス、ユーザ機器の可動性の評価、認証、プロビジョニングシステムなどを含み得る。
【０００８】
図１は、ピコセル１００の実施形態の例示的な構成要素のブロック図である。先に述べたように、一実施形態では、ピコセル１００は、複数のエアインターフェース規格に従った通信をサポートするように構成され得る。図１は、２つの例示的なエアインターフェース規格である、より長い範囲の無線エアインターフェース規格（例えば、ロング・ターム・エボリューション（「ＬＴＥ」）第四世代エアインターフェース規格）、およびより短い範囲の無線エアインターフェース規格（例えば、Ｗｉ‐Ｆｉエアインターフェース規格）が同じ装置でサポートされる実施形態を示す。さらに、ピコセル１００は、ピコセル内の異なるエアインターフェース規格間、およびピコセル間で通信をハンドオフするように構成される。
【０００９】
例示的には、ピコセル１００は、アンテナ、フィルター、無線装置（radios）、基地局制御構成要素、ネットワークインターフェース構成要素、および電源を含むがこれらに制限されない、サポートされた無線エアインターフェース規格に従ってデータの送信を促進する１組の構成要素の統合体（integration）を含む。当業者は、ピコセル１００において実装され得るこれらの構成要素はすべて、簡潔にする目的で例示されたものではなく、制限するものでもないことを、理解するであろう。図１に示すように、ピコセル１００は、サポートされたエアインターフェース規格に従って送信される信号を受信するための、第１および第２の構成要素を含む。一実施形態では、第１の無線装置構成要素（first radio component）が、ＬＴＥ無線装置１１０に対応してよく、第２の無線装置構成要素が、Ｗｉ‐Ｆｉ無線装置１２０に対応してよい。２つの無線装置構成要素は、ピコセル１００にとって望ましいフォームファクターへの組み込みを促進するフォームファクターへと構成され得る。他の実施形態では、これらの無線装置は、他のテクノロジーをサポートするように構成されてよく、あるいは、より多くの、またはより少ない無線装置が、ピコセル内に存在することができる。やはり図１に示されるように、ピコセル１００は、インターフェース規格に従って信号を受信する、追加の無線装置構成要素１３０も含み得る。追加の無線装置構成要素１３０は、第１の無線装置構成１１０または第２の無線装置構成要素１２０のいずれかに対して冗長となるような形で、あるいは、第１および第２の無線装置構成要素に対して付加的となるような形で、信号を受信するよう構成され得る。
【００１０】
様々な実施形態では、ＬＴＥ無線装置構成要素１１０は、周波数分割双方向（ＦＤＤ）および／または時分割二重（ＴＤＤ）モードにおいて、７００ＭＨｚ〜２６００ＭＨｚの周波数をサポートし得る。ＦＤＤの実施形態では、ＬＴＥ無線装置構成要素１１０は、最大２０ＭＨｚまでのＦＤＤチャネルがサポートされた単一のＲＦキャリアを提供することができる。いくつかの実施形態では、Ｗｉ‐Ｆｉ無線装置構成要素１２０は、複数の無線装置を用いて同時にいくつかの周波数帯域をサポートすることができる。例えば、Ｗｉ‐Ｆｉ無線装置構成要素１２０は、２．４ＧＨｚおよび５ＧＨｚの周波数範囲において通信をサポートし得る。例示的には、Ｗｉ−Ｆｉ無線装置１２０は、最大で４０ＭＨｚのチャネルを有するように構成され得る。
【００１１】
図１に示すように、ＬＴＥ無線装置構成要素１１０およびＷｉ‐Ｆｉ無線装置構成要素１２０は、基地局コントローラ１４０に接続される。基地局コントローラ１４０は、一般の基地局制御ソフトウェアを含み、ピコセル１００がサポートするすべてのテクノロジーについて、動作およびメンテナンスサポートを提供する。基地局コントローラ１４０はまた、ピコセル１００のバックホールインターフェース（backhaul interface）１５０に接続される。様々な実施形態では、ピコセル１００は、バックホールインターフェース１５０としてスモールフォームファクタプラガブル（ＳＦＰ）モジュールを活用する。これにより、ファイバー、ピコイーサネットまたはいろいろな無線バックホール製品（wireless backhaul products）によるバックホールトラフィックに対する柔軟性が可能となる。図１に示すように、ピコセル１００は、アンテナ１７０を通じて様々なユーザ機器（ＵＥ）１６０と、また、コアネットワーク１８０と、連動する。
【００１２】
ＵＥ１６０は、無線エアインターフェース規格に従ってピコセル１００と通信することができる１つまたは複数の遠隔通信構成要素を有する任意のコンピュータデバイスに対応し得る。ＵＥ１６０は、例示的には、携帯電話、携帯情報端末（ＰＤＡ）、スマートフォン、タブレットＰＣ、パーソナルコンピュータデバイス、器具（appliances）などを含み得る。さらに、ピコセル１００と通信することができる遠隔通信構成要素は、ＵＥ内に直接組み込まれるか、または、アドオン構成要素もしくは補足的構成要素として提供されることができる。さらに、ピコセル１００と通信することができる遠隔通信構成要素は、２つまたは３つ以上のＵＥにより共有され得る。例えば、２つまたは３つ以上のＵＥは、テザリングとしばしば呼ばれる有線接続を利用して、または、ホットスポットとしばしば呼ばれる無線通信プロトコルを介して、通信構成要素を共有することができる。
【００１３】
アーキテクチャでは、ピコセル１００の無線装置構成要素１１０、１２０は、業界標準通信プロトコルを使用して、キャリアのコアネットワーク１８０と通信する。例えば、ＬＴＥ無線装置構成要素１１０は、転送制御プロトコル（「ＴＣＰ」）およびインターネットプロトコル（「ＩＰ」）のプロトコルに従って、情報を送信することができる。
【００１４】
図２は、複数のピコセル１００（図１）を含む異種ネットワーク２００の実施形態のブロック図である。図２で分かるように、異種ネットワーク２００は、マクロセル２１０のネットワークと組み合わせたピコセル１００を含み得る。従来の無線インフラ設定に従って、ピコセル１００およびマクロセル２１０は、１つまたは複数のサービングゲートウェイ２３０を通じて１つまたは複数のモビリティ管理エンティティ（ＭＭＥ）２２０と通信している。ピコセル１００とサービングゲートウェイ２３０との間の通信インターフェースは、Ｓ１インターフェースなどのネットワークインターフェース上にあってよい。あるいは、ピコセル１００とサービングゲートウェイ２３０との間の通信は、パブリックネットワークを介して、例えばトンネリングプロトコルを利用するＳ１インターフェースを介して、達成され得る。様々な実施形態では、共通のネットワーク管理システム（ＮＭＳ）２４０（ネットワーク管理装置（ＮＭＤ）とも呼ばれる）が、マクロネットワーク（ＥＭＳ２５０）およびピコネットワーク（ＥＭＳ２６０）のためのそれぞれの要素管理システム（ＥＭＳ）を監視し、一体化するように構成され得る。
【００１５】
概して、複数のエアインターフェースプロトコルおよびテクノロジーをサポートし、マクロセル２１０およびピコセル１００を含む異種ネットワーク２００では、ＵＥ１６０は、いくつかのマクロセル２１０またはピコセル１００と通信することができる。一部の場合には、ＵＥ１６０は、２つのマクロセル２１０間で連続して通信することができる。他の場合には、ＵＥ１６０は、マクロセル２１０とピコセル１００との間、または、ピコセル１００とマクロセル２１０との間で、連続して通信することができる。さらに別の場合には、ＵＥ１６０は、２つのピコセル１００間で連続して通信することができる。概して、第１のセル（例えば、マクロセル２１０もしくはピコセル１００）と、ＵＥとサービスプロバイダとの間の通信が同じエアインターフェース規格に対応する第２のセルと、の間のハンドオフ、または、これらからのオフロードは、水平ハンドオフまたはオフロードと呼ばれ得る。同様に、ＵＥ１６０とサービスプロバイダとの間の通信が複数のエアインターフェース規格を利用する、第１のセル（例えば、マクロセル２１０もしくはピコセル１００）間のハンドオフは、垂直ハンドオフまたはオフロードと呼ばれ得る。
【００１６】
例示的には、単一のピコセル１００内部における２つまたは３つ以上の異なるエアインターフェース規格間でのハンドオフ／オフロードは、ピコ内ハンドオフ／オフロード（intrapico handoffs/offloads）と呼ばれ得る。例えば、単一のピコセル１００は、ＬＴＥエアインターフェース規格に従って通信するＵＥ１６０のハンドオフを誘発して、Ｗｉ‐Ｆｉエアインターフェース規格に従って通信することができる。同じ異種ネットワーク２００での、２つまたは３つ以上のピコセル１００間のハンドオフ／オフロードは、ピコ間ハンドオフ／オフロード（inter pico handoffs/offloads）と呼ばれ得る。以下でさらに詳細に説明するように、一態様では、ピコセル１００が、ピコセル内垂直ハンドオフ（ＬＴＥからＷｉ‐Ｆｉ／Ｗｉ‐ＦｉからＬＴＥ）を容易にし得る。別の態様では、ピコセル１００は、他のピコセル１００またはマクロセル２１０間で、ピコセル間水平／垂直ハンドオフ（ＬＴＥからＬＴＥ、およびＬＴＥからＷｉ‐Ｆｉ／Ｗｉ‐ＦｉからＬＴＥ）を容易にし得る。
【００１７】
ピコセル１００の、これらのオフロード能力は、起こり得るトラフィック密度、または無線ネットワークによりサポートされる「メガビット／秒／平方マイル」の数を増やすのを助ける。いくつかの実施形態では、マクロネットワークからのトラフィックは、マクロセルとピコセルとの間で、Ｒｅｌ．  ８のシームレスＬＴＥハンドオフを活用して、オフロードされ得る。トラフィック割り当ておよびロード・バランシングの決定は、以下を考慮する：ユーザの可動性／速度、セッションのタイプ、電流負荷、ユーザ密度、場所、およびビジネスモデル。
【００１８】
図３は、ハンドオフに従った構成要素の相互作用の一実施形態を示す、図２の異種ネットワーク２００のブロック図である。具体的には、図３は、ＬＴＥエアインターフェース規格を用いてＵＥ１６０との通信を管理する、マクロセル２１０から、ピコセル１００への間接的ハンドオフを示す。ＵＥ１６０とピコセル１００との間の通信は、Ｗｉ‐Ｆｉエアインターフェース規格に対応する。
【００１９】
図３の点線で示されるように、（１）では、ＬＴＥベースの通信が、まず、マクロセル１００からピコセル１００へとオフロードされる。マクロセル１００とピコセル１００との間のハンドオフは、ピコセルが、同じエアインターフェース規格、例えばＬＴＥエアインターフェース規格を用いてＵＥ１６０と通信するように、促進される。引き続き図３を参照すると、（３）では、受ける側のピコセル（receiving pico cell）１００が、ＬＴＥ無線装置構成要素１１０からピコセルＷｉ‐Ｆｉ無線装置構成要素１２０へ、ＵＥ１６０とピコ内ハンドオフを行う。
【００２０】
例示的な実施例として、動きの速い列車の乗客が、異種ネットワーク２００内の任意の数のＬＴＥマクロセル２１０を通じて接続するそのＵＥ１６０に対しデータセッションを開始することができる。その乗客が目的地に到着すると、ＵＥ１６０との通信は、ＬＴＥエアインターフェース規格を用いてローカルピコセル１００に水平にハンドオフされ得る。乗客は、次に、ピコ内ハンドオフでは、同じピコセル１００内でピコセルＷｉ‐Ｆｉネットワークへ、垂直にハンドオフされ得る。このシナリオでは、データセッションは、マクロセル１００のＬＴＥ無線装置構成要素とピコセル１００のＷｉ‐Ｆｉ無線装置構成要素との間で間接的にハンドオフされた。
【００２１】
異なるシナリオでは、異なるハンドオフが、ピコセル１００により適応され得る（accommodated）。例えば、ショッピングモールのコーヒーショップにいる人が、Ｗｉ‐Ｆｉエアインターフェース規格に従った通信により、そのＵＥ１６０に対し大きなデータファイルのダウンロードを開始することができる。伝送中のある時点で、ＵＥ１６０（例えば、ユーザ）は、動き始めて、ピコセルのＷｉ‐Ｆｉ無線装置構成要素１２０の範囲の限度に近付き得る。このシナリオでは、データセッションは、ピコセル１００上のＷｉ‐Ｆｉ無線装置構成要素１２０から同じピコセル１００上のＬＴＥ無線装置構成要素１１０に、ハンドオフされ得る。さらにまた、その人がピコセルのＬＴＥ無線装置構成要素１１０の限度に近付くように動き続けた場合、２つのピコセル間で水平に（ＬＴＥ無線装置構成要素からＬＴＥ無線装置構成要素に）、ピコセル間ハンドオフがあるだろう。さらになお、受ける側のピコセルは次に、ひょっとしたら、ピコセルのＷｉ‐Ｆｉ無線装置構成要素１２０へのさらなる垂直ハンドオフを引き起こすかもしれない。この実施例では、データセッションは、ピコセル内およびピコセル間ハンドオフ、Ｗｉ‐Ｆｉ−ＬＴＥ−ＬＴＥ−Ｗｉ‐Ｆｉを通じて、サービスの継続性を経験するであろう。ピコセル間ハンドオフにかかわる制御メカニズムおよびインターフェースは、図７および図８を参照して、以下でさらに説明する。
【００２２】
前述のとおり、ピコセル１００により、複数のエアインターフェース規格にわたる垂直ハンドオフが可能となる。特に、例示的な実施形態では、ピコセル１００は、ＬＴＥ無線装置構成要素１１０とＷｉ‐Ｆｉ無線装置構成要素１２０との間でＵＥ１６０を垂直にハンドオフし得る。図４Ａおよび図４Ｂは、単一のピコセル１００内における垂直ハンドオフのメカニズムの方法体系を示す。一実施形態では、ピコセル１００は、モバイルＩＰ（ＭＩＰ）規格で使用されるホーム‐フォーリンエージェントテクノロジーを利用して、そのピコ間ハンドオフを促進することができる。
【００２３】
概して、モバイルＩＰプロトコルにより、インターネット上のＩＰデータグラムの位置独立なルーティングが可能になる。各モバイルノードは、インターネット内でその現在位置を無視するそのホームアドレスにより識別される。そのホームネットワークから離れている間、モバイルノードが、その現在位置を識別する気付アドレスと関連し、そのホームアドレスは、そのホームエージェントへのトンネルのローカルエンドポイントと関連する。モバイルＩＰは、モバイルノードがそのホームエージェントにどのようにして登録する（registers）のか、また、ホームエージェントがトンネルを通じてモバイルノードへどのようにしてデータグラムをルーティングするかを特定する。モバイルノードは、２つのアドレス、すなわち、永続的ホームアドレス（permanent home address）と、モバイルノードが訪れているネットワークと関連する気付アドレス（ＣｏＡ）と、を有する。２種類のエンティティが、モバイルＩＰ実装を構成する。ホームエージェントは、永続的ホームアドレスがそのホームエージェントのネットワーク内にあるモバイルノードに関する情報を記憶する。フォーリンエージェントは、そのネットワークを訪れているモバイルノードに関する情報を記憶する。フォーリンエージェントはまた、モバイルＩＰにより使用される気付アドレスを知らせる。ホストネットワーク内にフォーリンエージェントがない場合、モバイル装置は、アドレスを入手すること、およびそのアドレスを独自の手段により知らせることに対処しなければならない。
【００２４】
モバイルノードと通信しようとしているノードは、パケットを受信する宛先アドレスとして、モバイルノードの永続的ホームアドレスを使用する。ホームアドレスは、論理上、ホームエージェントに関連するネットワークに属するので、通常のＩＰルーティングのメカニズムは、これらのパケットをホームエージェントに送る。ホームエージェントと物理的に同じネットワーク内にある目的地にパケットを送る代わりに、ホームエージェントは、モバイルノードの気付アドレスを用いて新しいＩＰヘッダでデータグラムをカプセル化することにより、これらのパケットを、ＩＰトンネルを通じて、リモートアドレスに向けてリダイレクトする。
【００２５】
送信機として作用する場合、モバイルノードは、ＩＰパケットのためのソースアドレスとしてその永続的ホームアドレスを使用し、ホームエージェントを通じてパケットを送ることなしに、他の通信ノード（communicating node）に直接パケットを送る。必要であれば、フォーリンエージェントは、モバイルノードのパケットをホームエージェントにトンネリングすることによる逆トンネリング（reverse tunneling）を利用してよく、これによりパケットをその通信ノードに送る。
【００２６】
図４Ａを参照すると、ピコ間ハンドオフを促進するため、ピコセル１００は、ＬＴＥエアインターフェース規格のためのホームエージェント（ＨＡ）４０２、およびＷｉ‐Ｆｉエアインターフェース規格のためのＨＡ４０４を含む。さらに、ピコセル１００は、ＬＴＥエアインターフェース規格のためのフォーリンエージェント（ＦＡ）４０６、およびＷｉ‐Ｆｉエアインターフェース規格のためのＦＡ４０８を含む。ホームエージェントとフォーリンエージェントとの間のＭＩＰトンネル４１０を使用することにより、ピコセル１００は、接続を切る前に、ＬＴＥエアインターフェース規格とＷｉ‐Ｆｉエアインターフェース規格との間でハンドオーバを行うことができる。データは、それぞれのＭＩＰトンネル４１０を切り替えることにより、ＬＴＥからＷｉ‐Ｆｉへ（またはＷｉ‐ＦｉからＬＴＥへ）オフロードされ、データは、ＨＡ４０２、４０４から対応するＦＡ４０４、４０６に流れる。
【００２７】
様々なシナリオでは、ＨＡ４０２、４０４は、別のセルからの同じエアインターフェースを用いて、ＭＩＰトンネル４１０上のデータを通り抜けて（pass through）、ＦＡ構成要素のうちの１つに移ることができる。ＨＡ４０２、４０４は、異なるエアインターフェース規格へ切り替えることもできる。ＬＴＥおよびＷｉ‐ＦｉのためのＨＡ４０２、４０４、ならびにＬＴＥおよびＷｉ‐ＦｉのためのＦＡ４０６、４０８との間の、様々な通り抜け（pass through）と切り替えとの組み合わせは、２ｘ２サポートと呼ばれるものを提供する。
【００２８】
ＨＡ−ＦＡのアーキテクチャをさらに詳細に例示するため、実施例のピコ内ＬＴＥ-Ｗｉ-Ｆｉハンドオフを、図４Ｂを参照して説明する。データは、ＩＰ  １０．１１６．１５０．５においてＬＴＥインターフェース上を流れ、ピコセル１００に到着することができる。このデータは、以下のように、ＨＡ４０２、４０４およびＦＡ４０６、４０８ならびにＭＩＰトンネル４１０を使用して元のＩＰアドレスを保存することによって、ＬＴＥインターフェースおよびＷｉ‐Ｆｉインターフェース双方においてＵＥ１０６に送られる。
【００２９】
ピコセル１００は、ＬＴＥのＨＡ４０２でＩＰ  １０．１１６．１５０．ＸのＬＴＥインターフェース上で受信されたデータをルーティングする。ピコセル１００のＷｉ‐Ｆｉインターフェースは、ＩＰアドレス１０．１１６．２００．Ｘからのトラフィックを予測するので、ＬＴＥインターフェースにおけるトラフィックは無視する。ＬＴＥのＨＡ４０２により受け取られたＬＴＥトラフィックは、ＬＴＥ  ＦＡ４０６まで回され、受け取られると、ＩＰ  １０．１１６．１５０．５においてＵＥ１６０が利用することができる。
【００３０】
ＬＴＥのＨＡ４０２は、ＭＩＰトンネル４１０も使用して、データをＷｉ‐ＦｉのＦＡ４０８（内部にプロキシＭＩＰを有する）へと切り替え、ＩＰ  １０．１１６．２００．６のＵＥ１６０のＷｉ‐Ｆｉインターフェース上にデータを提供する。したがって、（ＭＩＰトンネル４１０を経由した）Ｗｉ‐Ｆｉへのハンドオフ後、ＵＥ１６０は、データフローを受け取り続け、これにより、ＬＴＥインターフェースの元のＩＰアドレスを保存する。２方向（ＬＴＥ−Ｗｉ−Ｆｉ、およびＷｉ‐Ｆｉ−ＬＴＥ）におけるピコセル１００内部でのハンドオフプロセスのさらなる詳細は、図５および図６を参照して以下に述べる。
【００３１】
図５は、ＬＴＥエアインターフェース規格からＷｉ‐Ｆｉエアインターフェース規格への、ピコセル内でのハンドオフプロセスを示す。図５に示すように、初期トラフィック（initial traffic）は、ＬＴＥインターフェース上にあってよい。ＬＴＥのためのＨＡ４０２とＦＡ４０６との間に形成されたＭＩＰトンネル４１０があるので、ＬＴＥのＨＡ４０２からＬＴＥアクセスポイント（ＡＰ）４０６へ、また、ＵＥ１６０への、ＬＴＥインターフェースを通じたデータフローがある。ＵＥ１６０がハンドオフを誘発すると、ハンドオフプロセスが開始される。ハンドオフは、様々な理由で誘発され得る。例えば、ＬＴＥ信号に問題がある場合があり、新たなＷｉ‐Ｆｉネットワークが発見される場合があり、ユーザがＷｉ‐Ｆｉネットワークを契約したばかりである場合があり、ユーザがあまり動けなくなる場合があり、アクセスポイントにいるユーザが多すぎる場合がある、などである。いったんハンドオフが誘発されると、ＵＥ１６０からＷｉ‐ＦｉのＦＡ４０８にＤＨＣＰ要求が送られる。Ｗｉ‐ＦｉのＦＡ４０８は次に、ピコセル内部またはコアネットワーク上のどこかにあってよいＤＨＣＰサーバー５０２と交信し、ＤＨＣＰアドレスを入手する。ＤＨＣＰサーバー５０２は、Ｗｉ‐ＦｉのＦＡ４０８の要求を承認する。次に、Ｗｉ‐ＦｉのＦＡ４０８は、ＬＴＥのＨＡ４０２にＭＩＰレジスター要求（MIP Register Request）を送り、ＬＴＥのＨＡ４０２は、Ｗｉ‐ＦｉのＦＡ４０８に応答し、ＬＴＥのＨＡ４０２とＷｉ‐ＦｉのＦＡ４０８との間にＭＩＰトンネル４１０を作る。次に、Ｗｉ‐ＦｉのＦＡ４０８は、ＵＥのＤＨＣＰ要求を承認し、ＬＴＥのＨＡ４０２とＵＥ１６０との間にデータフローが作られる。
【００３２】
図６は、Ｗｉ‐Ｆｉエアインターフェース規格からＬＴＥエアインターフェース規格への、ピコセル１００内部でのハンドオフプロセスを示す。図６に示すように、初期トラフィックは、Ｗｉ‐Ｆｉインターフェース上にあってよい。Ｗｉ‐ＦｉのためのＨＡ４０４とＦＡ４０８との間に形成されたＭＩＰトンネル４１０があるので、Ｗｉ‐ＦｉのＨＡ４０４からＷｉ‐ＦｉのＦＡ４０８への、そしてＵＥ１６０への、Ｗｉ‐Ｆｉインターフェースを通じたデータフローがある。ＵＥ１６０がハンドオフを誘発すると、ハンドオフプロセスが開始される。いったんハンドオフが誘発されると、ＵＥ１６０からＬＴＥのＦＡ４０６にＤＨＣＰ要求が送られる。ＬＴＥのＦＡ４０６は次に、ピコセル１００内部のＤＨＣＰサーバー５０２と交信して、ＤＨＣＰアドレスを入手する。ＤＨＣＰは、ＬＴＥのＦＡ４０６の要求を承認する。次に、ＬＴＥのＦＡ４０６は、Ｗｉ‐ＦｉのＨＡ４０４にＭＩＰレジスター要求を送信し、Ｗｉ‐ＦｉのＨＡ４０４は、ＬＴＥのＦＡ４０６に応答し、Ｗｉ‐ＦｉのＨＡ４０４とＬＴＥのＦＡ４０６との間にＭＩＰトンネル４１０を作る。次に、ＬＴＥのＦＡ４０６は、ＵＥのＤＨＣＰ要求を承認し、Ｗｉ‐ＦｉのＨＡ４０４とＵＥ１６０との間にデータフローが作られる。
【００３３】
図７は、ピコセル間ハンドオフにおいてピコセル１００間でのハンドオフを管理するための制御メカニズムの実施形態を示す。いくつかの実施形態では、ピコセル１００を自律的で自立したデバイス（autonomous and self-sustaining devices）にすることが可能であり、ここで、各ピコセルは、必要な管理機能を個別に実行する。このような実施形態では、ピコセルは、「スタンドアローンの」または「自律的な」ピコセルと呼ばれ得る。図７の実施形態では、Ｗｉ‐Ｆｉ／ＬＴＥコントローラ７０２を使用して、１つの集中地点（one centralized point）からピコセルのそれぞれに対して行われる高レベルの管理機能のうちのいくつかを実行し、それにより、ピコセル１００を「薄い」デバイスにすることができる。高レベルの管理機能は、異なるテクノロジーにわたりデータのクオリティ・オブ・サービスを制御すること、ＵＥ１６０の可動性に基づいてテクノロジー間でのハンドオフを誘発すること、統計の収集、信号レベルのモニタリング、いくつかの場所におけるハンドオフの事前計画、セキュリティ管理、場所追跡などを含み得る。
【００３４】
ピコセル１００内部のテクノロジー間でのハンドオフ、または垂直内ハンドオーバ（intra vertical handover）は、コントローラなしで行われ得る。例えば、１つのピコセル１００上のＬＴＥから別のピコセル１００上のＬＴＥへ、または１つのピコセル１００上のＷｉ‐Ｆｉから別のピコセル１００上のＷｉ‐Ｆｉへ、といったピコ間水平ハンドオーバは、コントローラ７０２を用いて達成され得る。
【００３５】
ショッピングモール内の人がＷｉ‐Ｆｉエアインターフェース規格によりそのＵＥ１６０に大きなデータファイルをダウンロードしていて、その後コーヒーショップの外に出てショッピングモールの別の場所まで歩いていく、前述した例示的な実施例を再び参照すると、データセッションは、コントローラ７０２を用いずに、第１のピコセル１００上のＷｉ‐Ｆｉ無線装置構成要素１２０から、同じピコセル１００上のＬＴＥ無線装置構成要素１１０へ、ハンドオフされ得る。その人が歩き続けて、新しいピコセルのゾーンに到着すると、ピコセル間ハンドオフが、水平に（ＬＴＥからＬＴＥへ）、コントローラ７０２により調整される。次に、新しいピコセルにおけるＷｉ‐Ｆｉホットスポットへの垂直ハンドオフは、コントローラなしで、ピコセル自体により再び制御され得る。
【００３６】
コントローラ７０２は、例えば、キャリアから企業へのトラフィックをオフロードするのにも使用され得る。キャリアのネットワーク内の複数のピコセル１００のためのコントローラ、および企業のネットワーク内の別の複数のピコセルのための別のコントローラが、存在し得る。ＵＥ１６０がキャリアのネットワークから（例えば街路から）企業のネットワーク内に（例えば建物内に）移動すると、コントローラは、互いに通信して、キャリアから企業のピコセルのネットワークにトラフィックを円滑にハンドオフする。
【００３７】
図８は、「スタンドアローンの」または「自律的な」ピコセル１００間でのハンドオフにおけるＸ２インターフェースの使用を示す。コントローラ７０２を使用しない場合、ピコセル１００は互いに通信して、それらの間でのハンドオフを調整および実行する。いくつかの実施形態では、ピコセル１００またはマクロセル２１０を互いに対して相互接続させるインターフェースである、Ｘ２インターフェースを使用することが可能である。従来のＸ２インターフェースは、概して、有線接続によりセル間で情報を信号伝達するのをサポートするように設計される。しかしながら、ピコセルは、有利なことに、２つの無線周波数帯域にわたりＷｉ‐Ｆｉテクノロジーをサポートすることができるので、２つの無線周波数帯域のうちの１つ、例えば５ＧＨｚのＷｉ‐Ｆｉ帯域などを使用して、ピコセル１００間で作られたＷｉ‐Ｆｉメッシュを通じて、Ｘ２を使用することができる。これにより、Ｘ２インターフェースを介した、無線でのピコ間ハンドオフの実行が可能となる。このようなハンドオフは、速度および性能を改善しており、また、セル間にケーブルを敷設する費用を排除することにより費用を節減する。他の実施形態では、無線接続は、Ｗｉ‐Ｆｉメッシュの代わりに、またはこれに加えて、ＴＤＭＡに基づくメッシュプロトコルを用いて、達成することもできる。
【００３８】
前述した垂直ハンドオーバシナリオのいずれにおいても、また、ピコセルとバックホールネットワークとの間のいかなるハンドオーバにおいても、テクノロジーおよび／またはネットワークにわたり、均一なクオリティ・オブ・サービス（ＱｏＳ）を確実にすることが、有益である。均一なＱｏＳを達成するために、異なるテクノロジーおよびネットワークにわたる異なるＱｏＳ規格を変換して（translate）それらを統合することが重要である。
【００３９】
図９は、異種ネットワーク２００（図２）内部のＱｏＳ規格の変換の実施形態を示す。図示する実施形態では、ＵＥ１６０からのＷｉ‐Ｆｉトラフィック上で達成すべきＱｏＳ規格は、Ｗｉ‐Ｆｉマルチメディア（ＷＭＭ）規格の中にあり得る。ピコセル１００は、このＷＭＭ規格を、差別化サービスコードポイント（Differentiated Services Code Point）（ＤＳＣＰ）規格および／または８０２．１ｐ規格に変換し、バックホールネットワーク上でトラフィックを送るためにＧＲＥトンネルで使用される一般ルーティングカプセル化（ＧＲＥ）ヘッダ内に、ＤＳＣＰタグを含める。同様に、図９には図示していないが、ＵＥからのＬＴＥトラフィックで達成すべきＱｏＳ規格は、ＱｏＳクラス識別子（QoS Class Identifier）（ＱＣＩ）規格内にあり得る。ピコセル１００は、このＱＣＩ規格を、差別化サービスコードポイント（ＤＳＣＰ）規格および／または８０２．１ｐ規格に変換し、バックホールネットワーク上でトラフィックを送るためにＧＲＥトンネルで使用される一般ルーティングカプセル化（ＧＲＥ）ヘッダ内に、ＤＳＣＰタグを含める。
【００４０】
ピコセルは、バックホールトラフィックのＧＲＥヘッダに含まれるＤＳＣＰタグを、それぞれＷＭＭおよび／またはＱＣＯ規格へと同様に変換し、Ｗｉ‐Ｆｉおよび／またはＬＴＥによりＵＥにトラフィックを送り返す。
【００４１】
ＬＴＥおよびＷｉ‐Ｆｉを含むいくつかのテクノロジーをサポートするピコセル１００の別の利点は、ＵＥのロケーション解決（location resolution）を改善し得ることである。概して、受信信号強度インジケーター（ＲＳＳＩ）に基づく位置追跡は、モバイル装置などのＵＥの位置を突き止めるために三辺測量を使用する。三辺測量では、少なくとも３つの隣接するアクセスポイントが、あらゆるあいまいさを解決する必要がある。Ｗｉ‐Ｆｉネットワークでは、近隣の、または隣接するアクセスポイントは、セル間の干渉を軽減するために、異なる周波数チャネルを割り当てられる。したがって、モバイル装置付近のアクセスポイントの受信電力および／またはＲＳＳＩを測定するためには、近隣のアクセスポイントのチャネルに合わせることが必要である。このチューニングは、データ通信からＲＴＬＳへ進みデータ通信に戻るチャネルをモバイル装置が切り替える必要があるため、時間遅延に敏感である（音声および動画を含む）リアルタイムサービスのＱｏＳに影響を与えるかもしれない。
【００４２】
図１０は、ピコセル１００の実施形態を用いたリアルタイムロケーションシステム（ＲＴＬＳ）を示す。ピコセル１００により、Ｗｉ‐ＦｉインターフェースおよびＬＴＥインターフェースの双方を同時に使用して、モバイル装置などのＵＥ１６０の位置を決定することができる。モバイル装置が（例えばデータセッション中などに）インターネットと通信するためにＷｉ‐Ｆｉを使用すると、ピコセル１００は、モバイル装置の位置を決定するためにＬＴＥインターフェースを使用することができる。ＵＥ１６０がインターネットと、またはプロバイダーのコアネットワークと通信するためにＬＴＥを使用すると、ピコセル１００は、モバイル装置の位置を決定するためにＷｉ‐Ｆｉインターフェースを使用することができる。通信および位置の突き止め（locationing）のためにインターフェースを代わる代わる使用すること（use of the alternate interfaces）により、妨害のないセッションが可能となる。さらに、合計で６つのＲＳＳＩ測定値（周波数帯域、例えば２．１ＧＨｚの帯域のＬＴＥおよび２．４ＧＨｚの帯域のＷｉ‐Ｆｉ、それぞれに３つ）があるので、より良いロケーション解決が可能である。複数のテクノロジーに対するピコセルのサポートがないので、これまでのシステムは、通信および位置の突き止め双方のために、単一のインターフェースに関する３つの測定値に依存していた。
【００４３】
本開示の様々な実施形態は、以下の項（clauses）に関して記載され得る：
実施形態１：
第１項：異種ネットワークにおいて、
１つまたは複数のマクロセルであって、各マクロセルは、より長い範囲のエアインターフェース規格に従ってモバイル装置と無線通信するように構成される、マクロセルと、
１つまたは複数のスモールセルであって、各スモールセルは、より長い範囲のエアインターフェース規格およびより短い範囲のエアインターフェース規格に従って、モバイル装置と無線通信するように構成される、スモールセルと、
を含み、
１つまたは複数のスモールセルは、より長い範囲のエアインターフェース規格およびより短い範囲のエアインターフェース規格に従ったモバイル装置との通信と通信との間にスモールセル内ハンドオーバを実行するようにさらに構成され、
１つまたは複数のスモールセルは、より長い範囲のエアインターフェース規格に従ったモバイル装置との通信と関連したハンドオーバを実行するようにさらに構成される、ネットワーク。
第２項：第１項に記載のネットワークにおいて、
より長い範囲のエアインターフェース規格は、ロング・ターム・エボリューション・エアインターフェース規格に対応する、ネットワーク。
第３項：第１項に記載のネットワークにおいて、
より短い範囲のエアインターフェース規格は、ＩＥＥＥ８０２．１１  エアインターフェース規格に対応する、ネットワーク。
第４項：第１項に記載のネットワークにおいて、
１つまたは複数のスモールセルは、マクロセルとスモールセルとの間のハンドオーバを実行するように構成される、ネットワーク。
第５項：第１項に記載のネットワークにおいて、
１つまたは複数のスモールセルは、スモールセルとスモールセルとの間のハンドオーバを実行するように構成される、ネットワーク。
第６項：ネットワークにおいて、
１つまたは複数のセルを含み、
１つまたは複数のセルはそれぞれ、第１のエアインターフェース規格および第２のエアインターフェース規格に従って複数のユーザ機器と無線通信するように構成され、
１つまたは複数のセルは、第１のエアインターフェース規格に従ったユーザ機器との通信を、第２のエアインターフェース規格に従った通信へと移行させることにより、通信と通信との間にセル内ハンドオーバを実行するようにさらに構成される、ネットワーク。
第７項：第６項に記載のネットワークにおいて、
１つまたは複数のセルは、第１のエアインターフェース規格のみに従ったモバイル装置との通信と関連したハンドオーバを実行するようにさらに構成される、ネットワーク。
第８項：第６項に記載のネットワークにおいて、
第１のエアインターフェース規格は、比較的大きな地理的範囲と関連したエアインターフェース規格に対応する、ネットワーク。
第９項：第６項に記載のネットワークにおいて、
第２のエアインターフェース規格は、比較的短い地理的範囲と関連したエアインターフェース規格に対応する、ネットワーク。
第１０項：第６項に記載のネットワークにおいて、
１つまたは複数のセルは、第１のエアインターフェース規格のみを実装するセル間でハンドオーバを実行するように構成される、ネットワーク。
第１１項：第６項に記載のネットワークにおいて、
１つまたは複数のセルは、第１および第２のエアインターフェース規格を実装するセル間でハンドオーバを実行するように構成される、ネットワーク。
第１２項：第６項に記載のネットワークにおいて、
１つまたは複数のセルは、ユーザ機器と関連した動きに基づいてセル内ハンドオーバを実行するように構成される、ネットワーク。
第１３項：第０項に記載のネットワークにおいて、
１つまたは複数のセルは、コアネットワークからの命令を受信せずに、セル内ハンドオーバを実行するように構成される、ネットワーク。
第１４項：装置において、
第１のエアインターフェース規格に従った通信を促進するように構成された第１の無線装置構成要素と、
第２のエアインターフェース規格に従った通信を促進するように構成された第２の無線装置構成要素と、
を含み、
装置は、モバイル装置との通信チャネルを中断せずに、第１のエアインターフェース規格および第２のエアインターフェース規格に従ったモバイル装置との通信と通信との間に、複数の装置を有するネットワークにおける通信ハンドオーバを実行するように構成される、装置。
第１５項：第０項に記載の装置において、
装置は、第１のエアインターフェース規格にのみ従ったモバイル装置との通信と関連したハンドオーバを実行するようにさらに構成される、装置。
第１６項：第０項に記載の装置において、
第１のエアインターフェース規格は、比較的大きな地理的範囲と関連したエアインターフェース規格に対応する、装置。
第１７項：第０項に記載の装置において、
第２のエアインターフェース規格は、比較的短い地理的範囲と関連したエアインターフェース規格に対応する、装置。
第１８項：第０項に記載の装置において、
装置は、第１および第２のエアインターフェース規格を実装するセル間でハンドオーバを実行するように構成される、装置。
第１９項：第０項に記載の装置において、
装置は、ユーザ機器と関連した動きに基づいて、セル内ハンドオーバを実行するように構成される、装置
第２０項：第０項に記載の装置において、
第３のエアインターフェース規格に従って通信するように構成された第３の無線装置構成要素をさらに含む、装置。
【００４４】
実施形態２
第１項：異種ネットワークにおいて、
１つまたは複数のマクロセルであって、各マクロセルは、より長い範囲のエアインターフェース規格に従ってモバイル装置と無線通信するように構成される、マクロセルと、
１つまたは複数のスモールセルであって、各スモールセルは、より長い範囲のエアインターフェース規格およびより短い範囲のエアインターフェース規格に従ってモバイル装置と無線通信するように構成される、スモールセルと、
スモールセル間のハンドオーバの少なくとも一部を管理するように構成されたスモールセルコントローラと、
を含み、
１つまたは複数のスモールセルは、より長い範囲のエアインターフェース規格およびより短い範囲のエアインターフェース規格に従ったモバイル装置との通信と通信との間にスモールセル内ハンドオーバを実行するようにさらに構成され、
スモールセルコントローラは、モバイル装置と関連した動きに少なくとも部分的に基づいて、より長い範囲のエアインターフェース規格に従ったモバイル装置との通信に関連したスモールセル間ハンドオーバを引き起こすように構成される、ネットワーク。
第２項：第１項に記載のネットワークにおいて、
より長い範囲のエアインターフェース規格は、ロング・ターム・エボリューション・エアインターフェース規格に対応する、ネットワーク。
第３項：第１項に記載のネットワークにおいて、
より短い範囲のエアインターフェース規格は、ＩＥＥＥ８０２．１１  エアインターフェース規格に対応する、ネットワーク。
第４項：第１項に記載のネットワークにおいて、
１つまたは複数のスモールセルは、マクロセルとスモールセルとの間でハンドオーバを実行するように構成される、ネットワーク。
第５項：第１項に記載のネットワークにおいて、
スモールセルコントローラは、より長い範囲のエアインターフェース規格とより短い範囲のエアインターフェース規格との間でスモールセル内ハンドオーバを引き起こすようにさらに構成される、ネットワーク。
第６項：ネットワークにおいて、
２つまたは３つ以上のセルであって、２つまたは３つ以上のセルはそれぞれ、第１のエアインターフェース規格および第２のエアインターフェース規格に従ってユーザ機器と無線通信するように構成される、セルと、
２つまたは３つ以上のセル間でのセル間ハンドオーバの少なくとも一部を管理するように構成されたセルコントローラであって、セル間ハンドオーバは、第１のエアインターフェース規格に対応する、セルコントローラと、
を含み、
２つまたは３つ以上のセルは、第１のエアインターフェース規格および第２のエアインターフェース規格に従ったモバイル装置との通信と通信との間にセル内ハンドオーバを実行するようにさらに構成される、ネットワーク。
第７項：第０項に記載のネットワークにおいて、
２つまたは３つ以上のセルは、第１のエアインターフェース規格のみに従ったモバイル装置との通信と関連したハンドオーバを実行するようにさらに構成される、ネットワーク。
第８項：第０項に記載のネットワークにおいて、
第１のエアインターフェース規格は、比較的大きな地理的範囲と関連したエアインターフェース規格に対応する、ネットワーク。
第９項：第０項に記載のネットワークにおいて、
第２のエアインターフェース規格は、比較的短い地理的範囲と関連したエアインターフェース規格に対応する、ネットワーク。
第１０項：第６項に記載のネットワークにおいて、
セルコントローラは、セル内部でセル内ハンドオーバを引き起こすようにさらに構成され、セル内ハンドオーバは、第１のエアインターフェース規格から第２のエアインターフェース規格への通信の移行に対応する、ネットワーク。
第１１項：第０項に記載のネットワークにおいて、
セルコントローラは、コアネットワークからの制御命令を受信せずに、セル内ハンドオーバを実行するように構成される、ネットワーク。
第１２項：第０項に記載のネットワークにおいて、
セルコントローラは、ユーザ機器と関連した動きに基づいてセル内ハンドオーバを実行するように構成される、ネットワーク。
第１３項：第０項に記載のネットワークにおいて、
複数のセルコントローラをさらに含み、
セルコントローラはそれぞれ、２つまたは３つ以上のセル間のセル間ハンドオーバの少なくとも一部を管理するように構成され、
セル間ハンドオーバは、第１のエアインターフェース規格に対応する、ネットワーク。
第１４項：第０項に記載のネットワークにおいて、
複数のセルコントローラは、領域に従って構成される、ネットワーク。
第１５項：第０項に記載のネットワークにおいて、
複数のセルコントローラは、識別可能な各領域と関連した単一のセルコントローラがあるように構成される、ネットワーク。
第１６項：第０項に記載のネットワークにおいて、
複数のセルコントローラは、サービスプロバイダ協会（service provider associations）に従って構成される、ネットワーク。
第１７項：第０項に記載のネットワークにおいて、
複数のセルコントローラは、階層的に配列される、ネットワーク。
第１８項：第０項に記載のネットワークにおいて、
第１のセルコントローラが、第１組のセルに割り当てられ、
第２のセルコントローラが、第２組のセルに割り当てられる、ネットワーク。
第１９項：第０項に記載のネットワークにおいて、
第３のセルコントローラが、第１組のセルにおけるセルと第２組のセルにおけるセルとの間のハンドオーバを促進する、ネットワーク。
第２０項：装置において、
第１のエアインターフェース規格に従って通信を促進するように構成された第１の無線装置構成要素と、
第２のエアインターフェース規格に従って通信を促進するように構成された第２の無線装置構成要素と、
を含み、
装置は、セルコントローラから受信された命令に基づいて、第１のエアインターフェース規格および第２のエアインターフェース規格に従ったモバイル装置との通信と通信との間に通信ハンドオーバを実行するように構成される、装置。
第２１項：第０項に記載の装置において、
装置は、第１のエアインターフェース規格のみに従ったモバイル装置との通信と関連したセル内ハンドオーバを実行するようにさらに構成される、装置。
第２２項：第０項に記載の装置において、
第１のエアインターフェース規格は、比較的大きな地理的範囲と関連したエアインターフェース規格に対応する、装置。
第２３項：第０項に記載の装置において、
第２のエアインターフェース規格は、比較的短い地理的範囲と関連したエアインターフェース規格に対応する、装置。
第２４項：第０項に記載の装置において、
装置は、セルコントローラから受信した命令に基づいて、第１および第２のエアインターフェース規格を実装するセル間でセル間ハンドオーバを実行するように構成される、装置。
第２５項：第０項に記載の装置において、
セルコントローラは、ユーザ機器と関連した動きに基づいてセル内ハンドオーバを実行するように構成される、装置。
【００４５】
実施形態３
第１項：異種ネットワークにおいて、
１つまたは複数のマクロセルであって、各マクロセルは、より長い範囲のエアインターフェース規格に従ってモバイル装置と無線通信するように構成される、マクロセルと、
２つまたは３つ以上のスモールセルであって、各スモールセルは、より長い範囲のエアインターフェース規格およびより短い範囲のエアインターフェース規格に従ってモバイル装置と無線通信するように構成される、スモールセルと、
を含み、
２つまたは３つ以上のスモールセルは、より長い範囲のエアインターフェース規格およびより短い範囲のエアインターフェース規格に従ったモバイル装置との通信と通信との間にスモールセル内ハンドオーバを実行するようにさらに構成され、
２つまたは３つ以上のスモールセルは、より短い範囲のエアインターフェース規格に基づいてメッシュネットワークを形成するように構成され、
２つまたは３つ以上のスモールセルは、コアネットワークからのハンドオーバ命令を受信せずに、メッシュネットワークに沿って渡された制御情報に基づいて、より長い範囲のエアインターフェース規格に従ったモバイル装置との通信と関連したスモールセル内ハンドオーバを実行する、ネットワーク。
第２項：第１項に記載のネットワークにおいて、
より長い範囲のエアインターフェース規格は、ロング・ターム・エボリューション・エアインターフェース規格に対応する、ネットワーク。
第３項：第１項に記載のネットワークにおいて、
より短い範囲のエアインターフェース規格は、ＩＥＥＥ８０２．１１  エアインターフェース規格に対応する、ネットワーク。
第４項：第１項に記載のネットワークにおいて、
２つまたは３つ以上のスモールセルは、マクロセルとスモールセルとの間でスモールセル内ハンドオーバを実行するようにさらに構成される、ネットワーク。
第５項：第１項に記載のネットワークにおいて、
制御情報は、Ｘ２プロトコルに対応する、ネットワーク。
第６項：ネットワークにおいて、
２つまたは３つ以上のセルを含み、
１つまたは複数のセルはそれぞれ、第１のエアインターフェース規格および第２のエアインターフェース規格に従ってユーザ機器と無線通信するように構成され、
２つまたは３つ以上のセルは、第２のエアインターフェース規格を利用して通信ネットワークを形成するように構成され、
２つまたは３つ以上のセルは、形成された通信ネットワークに沿って渡された制御情報に基づいて、第１のエアインターフェースに従ったモバイル装置との通信と通信との間にセル内ハンドオーバを実行するようにさらに構成される、ネットワーク。
第７項：第６項に記載のネットワークにおいて、
第１のエアインターフェース規格は、比較的大きな地理的範囲と関連したエアインターフェース規格に対応する、ネットワーク。
第８項：第６項に記載のネットワークにおいて、
第２のエアインターフェース規格は、比較的短い地理的範囲と関連したエアインターフェース規格に対応する、ネットワーク。
第９項：第６項に記載のネットワークにおいて、
２つまたは３つ以上のセルは、第１のエアインターフェース規格のみを実装するセル間でハンドオーバを実行するように構成される、ネットワーク。
第１０項：第６項に記載のネットワークにおいて、
２つまたは３つ以上のセルは、通信ネットワークを介してハンドオーバを制御するように信号伝達プロトコルを利用するよう構成される、ネットワーク。
第１１項：第６項に記載のネットワークにおいて、
形成された通信ネットワークは、メッシュネットワークに対応する、ネットワーク。
第１２項：第６項に記載のネットワークにおいて、
２つまたは３つ以上のセルは、第１のエアインターフェース規格と第２のエアインターフェース規格との間でセル内ハンドオーバを実行するようにさらに構成される、ネットワーク。
第１３項：第６項に記載のネットワークにおいて、
２つまたは３つ以上のセルは、コアネットワークからの制御命令を受信せずに、セル間ハンドオーバを実行するようにさらに構成される、ネットワーク。
第１４項：装置において、
第１のエアインターフェース規格に従って通信を促進するように構成された第１の無線装置構成要素と、
第２のエアインターフェース規格に従って通信を促進するように構成された第２の無線装置構成要素と、
を含み、
装置は、第２のエアインターフェースを利用して複数のセルを備えた通信ネットワークを形成するように構成され、
装置は、第１のエアインターフェースに従ったモバイル装置との通信を確立するように構成され、
装置は、形成された通信ネットワークに沿って渡された制御情報に基づいて、第１のエアインターフェースに従ったモバイル装置との通信と通信との間にセル内ハンドオーバを実行するようにさらに構成される、装置。
第１５項：第０項に記載の装置において、
装置は、第１のエアインターフェース規格のみに従ったモバイル装置との通信に関連したハンドオーバを実行するようにさらに構成される、装置。
第１６項：第０項に記載の装置において、
第１のエアインターフェース規格は、比較的大きな地理的範囲と関連したエアインターフェース規格に対応する、装置。
第１７項：第０項に記載の装置において、
第２のエアインターフェース規格は、比較的短い地理的範囲と関連したエアインターフェース規格に対応する、装置。
第１８項：第０項に記載の装置において、
装置は、通信ネットワークを介してハンドオーバを制御するため信号伝達プロトコルを利用するように構成される、装置。
第１９項：第１２項に記載の装置において、
形成された通信ネットワークは、メッシュネットワークに対応する、装置。
第２０項：第１２項に記載の装置において、
形成された通信ネットワークは、動的に（dynamically）形成される、装置。
第２１項：ユーザ機器との通信を管理する方法において、
１つまたは複数のセルのそれぞれが第１のエアインターフェース規格および第２のエアインターフェース規格に従ってユーザ機器と無線通信するように構成される、２つまたは３つ以上のセルを含む異種ネットワーク内で、
第１のセルにおいて、第２のエアインターフェースを利用して通信ネットワークを形成させることと、
第１のセルにおいて、通信ネットワークを介した第２のセルとのハンドオーバに関連する制御情報を入手することと、
制御情報に少なくとも部分的に基づいて、第１のエアインターフェース規格に従って、第１のセルと第２のセルとの間でモバイル装置のハンドオーバを引き起こすことと、
を含む、方法。
第２２項：第８項に記載の方法において、
第１のエアインターフェース規格は、比較的大きな地理的範囲と関連したエアインターフェース規格に対応する、方法。
第２３項：第８項に記載の方法において、
第２のエアインターフェース規格は、比較的短い地理的範囲と関連したエアインターフェース規格に対応する、方法。
第２４項：第８項に記載の方法において、
第２のエアインターフェースを利用して通信ネットワークを形成させることは、既存の通信ネットワークの接合を利用することを含む、方法。
第２５項：第８項に記載の方法において、
制御情報に少なくとも部分的に基づいて、第１のエアインターフェース規格に従って、第１のセルと第２のセルとの間でハンドオーバを引き起こすことは、通信ネットワークを介してハンドオーバを制御するために信号伝達プロトコルを利用することを含む、方法。
第２６項：第８項に記載の方法において、
形成された通信ネットワークは、メッシュネットワークに対応する、方法。
【００４６】
実施形態４
第１項：異種ネットワークにおいて、
１つまたは複数のマクロセルであって、各マクロセルは、より長い範囲のエアインターフェース規格に従ってモバイル装置と無線通信するように構成される、マクロセルと、
１つまたは複数のスモールセルであって、各スモールセルは、より長い範囲のエアインターフェース規格およびより短い範囲のエアインターフェース規格に従ってモバイル装置と無線通信するように構成される、スモールセルと、
を含み、
１つまたは複数のスモールセルは、より長い範囲のエアインターフェース規格およびより短い範囲のエアインターフェース規格に従ったモバイル装置との通信と通信との間にスモールセル内ハンドオーバを実行するようにさらに構成され、
１つまたは複数のスモールセルは、より長い範囲のエアインターフェース規格に従ってフォーマットされたクオリティ・オブ・サービス・メトリック情報を入手し、コアネットワークプロトコルと関連したクオリティ・オブ・サービス・フォーマットに従ってクオリティ・オブ・サービス・メトリック情報を変換するようにさらに構成され、
１つまたは複数のスモールセルは、より短い範囲のエアインターフェース規格に従ってフォーマットされたクオリティ・オブ・サービス・メトリック情報を入手し、コアネットワークプロトコルと関連したクオリティ・オブ・サービス・フォーマットに従ってクオリティ・オブ・サービス・メトリック情報を変換するようにさらに構成され、
モバイル装置との通信に関連したクオリティ・オブ・サービス情報は、第１または第２のエアインターフェースの利用とは無関係に、コアネットワークに送信され、モバイル装置と１つまたは複数のスモールセルとの間の通信を促進する、ネットワーク。
第２項：第１項に記載のネットワークにおいて、
より長い範囲のエアインターフェース規格は、ロング・ターム・エボリューション・エアインターフェース規格に対応する、ネットワーク。
第３項：第１項に記載のネットワークにおいて、
より短い範囲のエアインターフェース規格は、ＩＥＥＥ８０２．１１  エアインターフェース規格に対応する、ネットワーク。
第４項：第１項に記載のネットワークにおいて、
１つまたは複数のスモールセルは、マクロセルとスモールセルとの間でハンドオーバを実行するようにさらに構成される、ネットワーク。
第５項：ネットワークにおいて、
１つまたは複数のセルを含み、１つまたは複数のセルはそれぞれ、第１のエアインターフェース規格および第２のエアインターフェース規格に従ってユーザ機器と無線通信するように構成され、
１つまたは複数のセルは、第１のエアインターフェースと第２のエアインターフェースとの間で、モバイル装置との通信と通信との間にセル間ハンドオーバを実行するようにさらに構成され、
１つまたは複数のセルは、パフォーマンス・メトリック情報を入手するようにさらに構成され、パフォーマンス・メトリック情報は、第１のエアインターフェースに関連するフォーマット、または、第２のエアインターフェース規格に関連するフォーマットのいずれかに従ってフォーマットされ、
１つまたは複数のセルは、パフォーマンス・メトリック情報を、コアネットワークに関連したフォーマットに変換するようにさらに構成され、パフォーマンス・メトリック情報は、モバイル装置と通信するために利用される現在のエアインターフェース規格の変更とは無関係である、ネットワーク。
第６項：第５項に記載のネットワークにおいて、
第１のエアインターフェース規格は、比較的大きな地理的範囲と関連したエアインターフェース規格に対応する、ネットワーク。
第７項：第５項に記載のネットワークにおいて、
第２のエアインターフェース規格は、比較的短い地理的範囲と関連したエアインターフェース規格に対応する、ネットワーク。
第８項：第５項に記載のネットワークにおいて、
第１のエアインターフェースと関連したパフォーマンス・メトリック情報は、ＱｏＳクラス識別子（ＱＣＩ）プロトコルに対応する、ネットワーク。
第９項：第５項に記載のネットワークにおいて、
コアネットワークと関連したパフォーマンス・メトリック情報は、差別化サービスコードポイント（ＤＳＣＰ）プロトコルに対応する、ネットワーク。
第１０項：第５項に記載のネットワークにおいて、
第２のエアインターフェースと関連したパフォーマンス・メトリック情報は、Ｗｉ‐Ｆｉマルチメディア（ＷＭＭ）プロトコルに対応する、ネットワーク。
第１１項：装置において、
第１のエアインターフェース規格に従って通信を促進するように構成された第１の無線装置構成要素と、
第２のエアインターフェース規格に従って通信を促進するように構成された第２の無線装置構成要素と、
を含み、
装置は、パフォーマンス・メトリック情報を入手するようにさらに構成され、パフォーマンス・メトリック情報は、第１のエアインターフェースと関連したフォーマットまたは第２のエアインターフェース規格と関連したフォーマットのいずれかに従って、フォーマットされ、
装置は、パフォーマンス・メトリック情報を、コアネットワークと関連したフォーマットに変換するようにさらに構成され、パフォーマンス・メトリック情報は、モバイル装置と通信するために利用される現在のエアインターフェース規格とは無関係であり、装置により利用される現在のエアインターフェース規格は、動的に修正され得、
第１および第２のエアインターフェースと関連したフォーマットは、互換性がない、装置。
第１２項：第０項に記載の装置において、
第１のエアインターフェース規格は、比較的大きな地理的範囲と関連したエアインターフェース規格に対応する、装置。
第１３項：第０項に記載の装置において、
第２のエアインターフェース規格は、比較的短い地理的範囲と関連したエアインターフェース規格に対応する、装置。
第１４項：第０項に記載の装置において、
パフォーマンス・メトリック情報は、クオリティ・オブ・サービス情報に対応する、装置。
第１５項：ユーザ機器との通信を管理する方法において、
第１のセルにおいて、第１のエアインターフェース規格に従ったユーザ機器との通信を確立させることと、
第１のセルにおいて、第１のエアインターフェース規格に基づいた通信に関連したパフォーマンス情報を入手することと、
第１のセルにおいて、第１のエアインターフェース規格に基づいた通信と関連したパフォーマンス情報を、コアネットワークプロトコルと関連したフォーマットに変換することと、
第１のエアインターフェース規格と第２のエアインターフェース規格との間でセル内ハンドオーバを引き起こすことと、
第１のセルにおいて、第２のエアインターフェース規格に基づいた通信と関連したパフォーマンス情報を入手することと、
第１のセルにおいて、第２のエアインターフェース規格に基づいた通信と関連したパフォーマンス情報を、コアネットワークと関連したフォーマットに変換することと、
を含み、
モバイル装置との通信に関連したクオリティ・オブ・サービス情報は、第１または第２のエアインターフェースの利用とは無関係にコアネットワークに送信され、モバイル装置と１つまたは複数のスモールセルとの間の通信を促進する、方法。
第１６項：第８項に記載の方法において、
第１のエアインターフェース規格は、比較的大きな地理的範囲と関連したエアインターフェース規格に対応する、方法。
第１７項：第８項に記載の方法において、
第２のエアインターフェース規格は、比較的短い地理的範囲と関連したエアインターフェース規格に対応する、方法。
第１８項：第８項に記載の方法において、
第１および第２のエアインターフェースと関連したフォーマットは、互換性がない、方法。
第１９項：第８項に記載の方法において、
第１のエアインターフェースと関連したパフォーマンス・メトリック情報は、ＱｏＳクラス識別子（ＱＣＩ）プロトコルに対応する、方法。
第２０項：第８項に記載の方法において、
コアネットワークと関連したパフォーマンス・メトリック情報は、差別化サービスコードポイント（ＤＳＣＰ）プロトコルに対応する、方法。
第２１項：第８項に記載の方法において、
第２のエアインターフェースと関連したパフォーマンス・メトリック情報は、Ｗｉ‐Ｆｉマルチメディア（ＷＭＭ）プロトコルに対応する、方法。
【００４７】
実施形態５
第１項：異種ネットワークにおいて、
より長い範囲のエアインターフェース規格およびより短い範囲のエアインターフェース規格に従って通信するように構成される、複数のモバイル装置と、
１つまたは複数のマクロセルであって、各マクロセルは、より長い範囲のエアインターフェース規格に従ってモバイル装置と無線通信するように構成される、マクロセルと、
１つまたは複数のスモールセルであって、各スモールセルは、より長い範囲のエアインターフェース規格およびより短い範囲のエアインターフェース規格に従ってモバイル装置と無線通信するように構成される、スモールセルと、
を含み、
１つまたは複数のスモールセルは、より長い範囲およびより短い範囲のエアインターフェース規格のそれぞれについて、ホームエージェントノードおよびフォーリンエージェントノードを含み、
１つまたは複数のスモールセルは、より長い範囲のエアインターフェース規格のためのホームエージェントと、より短い範囲のエアインターフェース規格のためのフォーリンエージェントノードとの間で通信トンネルを利用することにより、スモールセル内ハンドオーバを実行するように構成され、
複数のモバイル装置は、より長い範囲のエアインターフェース規格に従ったすべての通信について、より長い範囲のエアインターフェース規格のためのフォーリンエージェントとの通信を確立し、
複数のモバイル装置は、より短い範囲のエアインターフェース規格に従ったすべての通信について、より短い範囲のエアインターフェース規格のためのフォーリンエージェントとの通信を確立し、
スモールセルとコアネットワークとの間の通信は、スモールセルとモバイル装置との間におけるより長い範囲のエアインターフェース規格またはより短い範囲のエアインターフェース規格の利用とは無関係である、ネットワーク。
第２項：第１項に記載のネットワークにおいて、
より長い範囲のエアインターフェース規格は、ロング・ターム・エボリューション・エアインターフェース規格に対応する、ネットワーク。
第３項：第１項に記載のネットワークにおいて、
より短い範囲のエアインターフェース規格は、ＩＥＥＥ８０２．１１  エアインターフェース規格に対応する、ネットワーク。
第４項：第１項に記載のネットワークにおいて、
１つまたは複数のスモールセルは、マクロセルとスモールセルとの間でハンドオーバを実行するように構成される、ネットワーク。
第５項：第１項に記載のネットワークにおいて、
１つまたは複数のスモールセルは、スモールセルとスモールセルとの間でハンドオーバを実行するように構成される、ネットワーク。
第６項：第１項に記載のネットワークにおいて、
より短い範囲のエアインターフェース規格に従って開始した通信は、より短い範囲のエアインターフェース規格のためのホームエージェントとより短い範囲のエアインターフェース規格のためのフォーリンエージェントノードとの間の通信チャネルを利用する、ネットワーク。
第７項：第６項に記載のネットワークにおいて、
１つまたは複数のスモールセルは、より短い範囲のインターフェース規格のためのホームエージェントと、より長い範囲のエアインターフェース規格のためのフォーリンエージェントノードとの間の通信トンネルを利用することによって、セル内ハンドオーバを実行するように構成される、ネットワーク。
第８項：ユーザ機器との通信を管理する方法において、
第１のエアインターフェース規格に対応する第１のノードとの通信を、モバイル装置により確立することであって、第１のノードは、第１のエアインターフェースのためのフォーリンエージェントノードに対応する、ことと、
第２のエアインターフェース規格に対応する第２のノードとの通信を、モバイル装置により確立することであって、第２のノードは、第２のエアインターフェースのためのフォーリンエージェントノードに対応する、ことと、
を含み、
第１および第２のノードは、単一のスモールセルに対応し、
モバイル装置と、単一のスモールセルの第１および第２のノードとの間の通信は、第１のエアインターフェース規格と関連した単一のスモールセルのホームエージェントノードと、第１および第２のノードとの間の通信トンネルに基づいて、ハンドオフされる、方法。
第９項：第８項に記載の方法において、
第１のエアインターフェース規格は、比較的大きな地理的範囲と関連したエアインターフェース規格に対応する、方法。
第１０項：第８項に記載の方法において、
第２のエアインターフェース規格は、比較的短い地理的範囲と関連したエアインターフェース規格に対応する、方法。
第１１項：第８項に記載の方法において、
第１のエアインターフェース規格に従って開始された通信は、第１の範囲のエアインターフェース規格のためのホームエージェントと、第１のエアインターフェース規格のためのフォーリンエージェントノードとの間の通信チャネルを利用する、方法。
第１２項：第８項に記載の方法において、
第２のエアインターフェース規格に従って開始された通信は、第２の範囲のエアインターフェース規格のためのホームエージェントと、第２のエアインターフェース規格のためのフォーリンエージェントノードとの間の通信チャネルを利用する、方法。
第１３項：第８項に記載の方法において、
１つまたは複数のスモールセルは、第１のインターフェース規格のためのホームエージェントと、第２の範囲のエアインターフェース規格のためのフォーリンエージェントノードとの間で、通信トンネルを利用することによって、セル内ハンドオーバを実行するように構成される、方法。
第１４項：装置において、
第１のエアインターフェース規格に対応するスモールセル上のフォーリンエージェントノードとの、第１のエアインターフェース規格に従った通信を促進するように構成された第１の無線装置構成要素と、
第２のエアインターフェース規格に対応するスモールセル上のフォーリンエージェントノードとの、第２のエアインターフェース規格に従った通信を促進するように構成された第２の無線装置構成要素と、
を含み、
スモールセルは、第１のエアインターフェース規格のためのホームエージェントまたは第２のエアインターフェース規格のためのホームエージェントのうち少なくとも一方と、その反対のフォーリンエージェントノードとの間の通信トンネルを利用することにより、スモールセル内ハンドオーバを実行するように構成される、装置。
第１５項：第１４項に記載の装置において、
第１のエアインターフェース規格は、比較的大きな地理的範囲と関連したエアインターフェース規格に対応する、装置。
第１６項：第１４項に記載の装置において、
第２のエアインターフェース規格は、比較的短い地理的範囲と関連したエアインターフェース規格に対応する、装置。
第１７項：第１４項に記載の装置において、
第３のエアインターフェース規格に従って通信するように構成された第３の無線装置構成要素をさらに含む、装置。
第１８項：第１４項に記載の装置において、
通信トンネルは、モバイルＩＰ通信トンネルに対応する、装置。
第１９項：第１４項に記載の装置において、
スモールセルは、第１のエアインターフェース規格のためのホームエージェントと、第２のエアインターフェース規格のためのフォーリンエージェントとの間の通信トンネルを利用することによって、追加のスモールセル内ハンドオーバを実行するようにさらに構成される、装置。
第２０項：第１４項に記載の装置において、
装置は、装置およびスモールセルにより利用されている現在のエアインターフェース規格とは無関係なコアネットワークによりネットワークアドレスと関連する、装置。
【００４８】
実施形態６
第１項：異種ネットワークにおいて、
１つまたは複数のマクロセルであって、各マクロセルは、より長い範囲のエアインターフェース規格に従ってモバイル装置と無線通信するように構成される、マクロセルと、
複数のスモールセルであって、各スモールセルは、より長い範囲のエアインターフェース規格およびより短い範囲のエアインターフェース規格に従ってモバイル装置と無線通信するように構成される、スモールセルと、
を含み、
１つまたは複数のスモールセルは、より長い範囲のエアインターフェース規格およびより短い範囲のエアインターフェース規格に従ったモバイル装置との通信と通信との間にスモールセル内ハンドオーバを実行するようにさらに構成され、
各スモールセルは、モバイル装置とスモールセルとの間の通信が、より短い範囲のエアインターフェース規格に対応している場合に、より長い範囲のエアインターフェース規格を介して位置処理情報（location processing information）を送信するように構成され、
各スモールセルは、モバイル装置とスモールセルとの間の通信が、より長い範囲のエアインターフェース規格に対応している場合に、より短い範囲のエアインターフェース規格を介して位置処理情報を送信するように構成される、ネットワーク。
第２項：第１項に記載のネットワークにおいて、
より長い範囲のエアインターフェース規格は、ロング・ターム・エボリューション・エアインターフェース規格に対応する、ネットワーク。
第３項：第１項に記載のネットワークにおいて、
より短い範囲のエアインターフェース規格は、ＩＥＥＥ８０２．１１  エアインターフェース規格に対応する、ネットワーク。
第４項：第１項に記載のネットワークにおいて、
位置処理情報は、受信信号強度インジケーターを決定するために、モバイル装置により利用される無線信号に対応する、ネットワーク。
第５項：ネットワークにおいて、
１つまたは複数のセルを含み、
１つまたは複数のセルはそれぞれ、第１のエアインターフェース規格および第２のエアインターフェース規格に従ってユーザ機器と無線通信するように構成され、
１つまたは複数のセルは、第１のエアインターフェースと第２のエアインターフェースとの間で、モバイル装置との通信と通信との間にセル間ハンドオーバを実行するようにさらに構成され、
１つまたは複数のセルはそれぞれ、第１のエアインターフェース規格を介して位置処理情報を送信するように構成され、
モバイル装置は、１つまたは複数のセルのうち少なくとも３つからの位置処理情報の処理に基づいて、位置情報を決定することができ、
位置処理情報は、モバイル装置が第２のエアインターフェース規格に従ってセルと通信している間に、第１のエアインターフェース規格に従ってモバイル装置に送信される、ネットワーク。
第６項：第５項に記載のネットワークにおいて、
第１のエアインターフェース規格は、比較的大きな地理的範囲と関連したエアインターフェース規格に対応する、ネットワーク。
第７項：第５項に記載のネットワークにおいて、
第２のエアインターフェース規格は、比較的短い地理的範囲と関連したエアインターフェース規格に対応する、ネットワーク。
第８項：第５項に記載のネットワークにおいて、
第２のエアインターフェース規格は、比較的大きな地理的範囲と関連したエアインターフェース規格に対応する、ネットワーク。
第９項：第５項に記載のネットワークにおいて、
第１のエアインターフェース規格は、比較的短い地理的範囲と関連したエアインターフェース規格に対応する、ネットワーク。
第１０項：第５項に記載のネットワークにおいて、
第１のエアインターフェースは、ロング・ターム・エボリューション・エアインターフェース規格またはＩＥＥＥ８０２．１１  エアインターフェース規格のうちの一方に対応する、ネットワーク。
第１１項：装置において、
第１のエアインターフェース規格に従った通信を促進するように構成された第１の無線装置構成要素と、
第２のエアインターフェース規格に従った通信を促進するように構成された第２の無線装置構成要素と、
を含み、
装置は、第１のエアインターフェース規格を介して位置処理情報を送信するように構成され、
モバイル装置は、少なくとも３つの装置からの位置処理情報の処理に基づいて位置情報を決定することができ、位置処理情報は、モバイル装置が第２のエアインターフェース規格に従ってセルと通信している間に、第１のエアインターフェース規格に従ってモバイル装置に送信される、装置。
第１２項：第０項に記載の装置において、
第１のエアインターフェース規格または第２のエアインターフェース規格のうち少なくとも一方が、比較的大きな地理的範囲と関連したエアインターフェース規格に対応する、装置。
第１３項：第０項に記載の装置において、
第１のエアインターフェース規格または第２のエアインターフェース規格のうち少なくとも一方が、比較的短い地理的範囲と関連したエアインターフェース規格に対応する、装置。
第１４項：第０項に記載の装置において、
位置処理情報は、受信信号強度インジケーターを決定するためにモバイル装置により利用される無線信号に対応する、装置。
第１５項：ユーザ機器との通信を管理する方法において、
第１のセルにおいて、第１のエアインターフェース規格に従ったユーザ機器との通信を確立することと、
第１のセルにおいて、第２のエアインターフェース規格に従ったユーザ機器との通信を確立することと、
第１のセルにおいて、第１のエアインターフェース規格に基づいた通信と関連する位置情報を入手することと、
を含み、
位置情報は、第２のエアインターフェース規格を介した通信に基づいてユーザ機器により決定される、方法、
第１６項：第８項に記載の方法において、
第１のエアインターフェース規格または第２のエアインターフェース規格のうち少なくとも一方が、比較的大きな地理的範囲と関連したエアインターフェース規格に対応する、方法。
第１７項：第８項に記載の方法において、
第１のエアインターフェース規格または第２のエアインターフェース規格のうち少なくとも一方が、比較的短い地理的範囲と関連したエアインターフェース規格に対応する、方法。
第１８項：第８項に記載の方法において、
位置処理情報は、受信信号強度インジケーターを決定するために、モバイル装置により利用される無線信号に対応する、方法。
第１９項：第８項に記載の方法において、
第１のエアインターフェース規格と第２のエアインターフェース規格との間でセル内ハンドオーバを引き起こすことと、
第１のセルにおいて、第２のエアインターフェース規格に基づく通信と関連した位置情報を入手することと、
をさらに含み、
位置情報は、第１のエアインターフェース規格を介した通信に基づいてユーザ機器により決定される、方法。
第２０項：第８項に記載の方法において、
第２のエアインターフェース規格を介した通信に基づいてユーザ機器により決定される位置情報は、少なくとも３つのセルから入手した位置処理情報に対応する、方法。
【００４９】
例示的な実施形態を開示し論じてきたが、当業者は、追加または代替的な実施形態が、本開示の趣旨および範囲内で実行され得ることを、理解するであろう。さらに、多くの実施形態が例示的なものとして示されてきたが、当業者は、それらの例示的な実施形態が、互いに組み合わせられたり共に実行されたりする必要はないことを、理解するであろう。したがって、いくつかの例示的な実施形態は、本開示の変形体の範囲に従って利用または実行される必要はない。
【００５０】
とりわけ、「できる（can）」、「できた（could）」、「かもしれない（might）」または「してよい（may）」などの、条件付きの語は、特に指定のない限り、または、別様に、使用されたとおりに文脈内で理解されない限り、概して、特定の実施形態が特定の特徴、要素または工程を含むが、他の実施形態はそれらを含まないことを伝えることが意図されている。よって、そのような条件付きの語は、特徴、要素または工程が１つまたは複数の実施形態について多少なりとも必要とされていること、あるいは、ユーザ入力または促し（user input or prompting）の有無にかかわらず、これらの特徴、要素または工程が任意の特定の実施形態に含まれるか、または任意の特定の実施形態で行われる予定であるかどうかを決定するロジックを１つまたは複数の実施形態が必ず含むこと、を含意することを概して意図していない。さらに、別段指定のない限り、または、別様に、使用されたとおりに文脈内で理解されない限り、要素のリストを列挙する際に接続詞「または（or）」を使用することは、単一の要素のみの選択を制限するものではなく、また、２つまたは３つ以上の要素の組み合わせを含み得ることを示唆することが概して意図されている。
【００５１】
本明細書に記載し、かつ／または添付図面に描かれた、フローチャートにおける任意のプロセスの説明、要素、または、ブロックは、プロセスにおいて特定の論理機能または工程を実行するために１つまたは複数の実行可能な命令を含むコードのモジュール、セグメント、または一部を潜在的に表わすものとして、理解されるべきである。当業者により理解されるであろうが、代替的な実装は、要素または機能が削除され得る、本明細書に記載の実施形態の範囲内に含まれ、含まれる機能性に応じて、実質的に同時または逆の順序を含め、図示もしくは議論したものから外れて実行される。前述されたデータおよび／または構成要素が、ＣＤ−ＲＯＭ、ＤＶＤ−ＲＯＭ、またはネットワークインターフェースなどコンピュータ実行可能構成要素を記憶するコンピュータ可読媒体と関連付けられたドライブ機構を用いて、コンピュータ可読媒体に記憶され、コンピュータデバイスのメモリにロードされ得ることも、さらに理解されるであろう。さらに、構成要素および／またはデータは、単一のデバイス内に含まれるか、または任意の様式で分配され得る。したがって、汎用コンピュータデバイスは、前述した様々なデータおよび／または構成要素の処理および／または実行により本開示のプロセス、アルゴリズムおよび方法を実行するように構成され得る。あるいは、本明細書に記載した方法の一部またはすべては、代わりに、専用コンピュータハードウェアで具体化され得る。さらに、本明細書で言及される構成要素は、ハードウェア、ソフトウェア、ファームウェア、またはそれらの組み合わせにおいて実装されてよい。
【００５２】
前述した実施形態に対して多くの変形および改変が行われてよく、その要素は、とりわけ許容可能な実施例として理解されるべきものであることを、強調する。このようなすべての改変および変形は、本開示の範囲内で本明細書に含まれ、また特許請求の範囲により保護されることが意図されている。
【００５３】
〔実施の態様〕
（１）  異種ネットワークにおいて、
１つまたは複数のマクロセルであって、各マクロセルは、より長い範囲のエアインターフェース規格に従ってモバイル装置と無線通信するように構成される、マクロセルと、
１つまたは複数のスモールセルであって、各スモールセルは、前記より長い範囲のエアインターフェース規格、およびより短い範囲のエアインターフェース規格に従って前記モバイル装置と無線通信するように構成される、スモールセルと、
を含み、
前記１つまたは複数のスモールセルは、前記より長い範囲のエアインターフェース規格のためのホームエージェントノードおよびフォーリンエージェントノードと、前記より短い範囲のエアインターフェース規格のためのホームエージェントノードおよびフォーリンエージェントノードと、を含み、
前記より長い範囲のエアインターフェース規格のための前記ホームエージェントノード、および前記より短い範囲のエアインターフェース規格のための前記ホームエージェントノードは、異なるネットワークアドレスと関連しており、
前記より長い範囲のエアインターフェース規格に従って開始された通信は、前記より長い範囲のエアインターフェース規格のための前記ホームエージェントと、前記より長い範囲のエアインターフェース規格のための前記フォーリンエージェントノードとの間の通信チャネルを利用し、
前記１つまたは複数のスモールセルは、前記より長い範囲のインターフェース規格のための前記ホームエージェントと、前記より短い範囲のエアインターフェース規格のための前記フォーリンエージェントノードとの間の通信トンネルを利用することにより、セル内ハンドオーバを実行するように構成される、ネットワーク。
（２）  実施態様１に記載のネットワークにおいて、
前記より長い範囲のエアインターフェース規格は、ロング・ターム・エボリューション・エアインターフェース規格に対応する、ネットワーク。
（３）  実施態様１に記載のネットワークにおいて、
前記より短い範囲のエアインターフェース規格は、ＩＥＥＥ８０２．１１  エアインターフェース規格に対応する、ネットワーク。
（４）  実施態様１に記載のネットワークにおいて、
前記１つまたは複数のスモールセルは、マクロセルとスモールセルとの間でハンドオーバを実行するように構成される、ネットワーク。
（５）  実施態様１に記載のネットワークにおいて、
前記１つまたは複数のスモールセルは、スモールセルとスモールセルとの間でハンドオーバを実行するように構成される、ネットワーク。
【００５４】
（６）  実施態様１に記載のネットワークにおいて、
前記より短い範囲のエアインターフェース規格に従って開始された通信は、前記より短い範囲のエアインターフェース規格のための前記ホームエージェントと、前記より短い範囲のエアインターフェース規格のための前記フォーリンエージェントノードとの間の通信チャネルを利用する、ネットワーク。
（７）  実施態様６に記載のネットワークにおいて、
前記１つまたは複数のスモールセルは、前記より短い範囲のインターフェース規格のための前記ホームエージェントと、前記より長い範囲のエアインターフェース規格のための前記フォーリンエージェントノードとの間の通信トンネルを利用することにより、セル内ハンドオーバを実行するように構成される、ネットワーク。
（８）  ユーザ機器との通信を管理する方法において、
セルの第１のノードにおいて、コアネットワークとの通信を引き起こすことであって、前記第１のノードは、第１のエアインターフェース規格のホームエージェントノードに対応しており、第１のネットワークアドレスと関連している、ことと、
前記セルの第２のノードにおいて、前記第１のエアインターフェース規格に従ったユーザ機器との通信を確立させることであって、前記第２のノードは、前記第１のエアインターフェース規格と関連したフォーリンエージェントノードに対応する、ことと、
前記セルの前記第１のノードにおいて、前記第１のエアインターフェース規格に関連した前記第１および第２のノード間に第１の通信トンネルを確立することと、
前記セルの前記第１のノードにおいて、セル内ハンドオーバの表示を入手することと、
前記セルの第３のノードにおいて、第２のエアインターフェース規格に従ったユーザ機器との通信を確立させることであって、前記第３のノードは、前記第２のエアインターフェース規格と関連したフォーリンエージェントノードに対応する、ことと、
前記セル内ハンドオーバの前記表示に対応して、前記第１および第３のノード間の第２の通信トンネルを利用して、前記セルの前記第１のノードにおいて通信を有効にすることと、
を含み、
前記セルの前記第１のノードと前記コアネットワークとの間の通信は、前記第１のネットワークアドレスに対応し続ける、方法。
（９）  実施態様８に記載の方法において、
前記１つまたは複数のセルは、前記第１のエアインターフェース規格のみに従った前記モバイル装置との通信と関連したハンドオーバを実行するようにさらに構成される、方法。
（１０）  実施態様８に記載の方法において、
前記第１のエアインターフェース規格は、比較的大きな地理的範囲と関連したエアインターフェース規格に対応する、方法。
【００５５】
（１１）  実施態様８に記載の方法において、
前記第２のエアインターフェース規格は、比較的短い地理的範囲と関連したエアインターフェース規格に対応する、方法。
（１２）  実施態様８に記載の方法において、
前記第１および第２の通信トンネルは、モバイルＩＰ通信トンネルに対応する、方法。
（１３）  実施態様８に記載の方法において、
前記セルの前記第１のノードにおいて、セル内ハンドオーバの第２の表示を入手することと、
前記セル内ハンドオーバの前記第２の表示に対応して、前記セルの前記第１のノードにおいて、前記第１および第２のノード間の前記第１の通信トンネルを利用して通信を有効にすることと、
をさらに含む、方法。
（１４）  装置において、
第１のエアインターフェース規格に従って通信を促進するように構成された第１の無線装置構成要素と、
前記第１のエアインターフェース規格に対応するホームエージェントノードおよびフォーリンエージェントノードと、
第２のエアインターフェース規格に従って通信を促進するように構成された第２の無線装置構成要素と、
前記第２のエアインターフェース規格に対応するホームエージェントノードおよびフォーリンエージェントノードと、
を含み、
前記装置は、前記第１のエアインターフェース規格のための前記ホームエージェントまたは前記第２のエアインターフェース規格のための前記ホームエージェントのうちの少なくとも一方と、これと反対のフォーリンエージェントノードとの間の通信トンネルを利用することにより、セル内ハンドオーバを実行するように構成される、装置。
（１５）  実施態様１４に記載の装置において、
前記装置は、前記第１のエアインターフェース規格のみに従った前記モバイル装置との通信と関連したハンドオーバを実行するようにさらに構成される、装置。
【００５６】
（１６）  実施態様１４に記載の装置において、
前記装置は、前記第１のエアインターフェース規格または前記第２のエアインターフェース規格のための前記ホームエージェントノードと、これに対応するフォーリンエージェントノードとの間の通信トンネルを利用して、前記第１または第２のエアインターフェース規格のいずれかに従って通信を実行するようにも構成される、装置。
（１７）  実施態様１４に記載の装置において、
前記第１のエアインターフェース規格は、比較的大きな地理的範囲と関連したエアインターフェース規格に対応する、装置。
（１８）  実施態様１４に記載の装置において、
前記第２のエアインターフェース規格は、比較的短い地理的範囲と関連したエアインターフェース規格に対応する、装置。
（１９）  実施態様１４に記載の装置において、
前記１つまたは複数のセルは、前記第１および第２のエアインターフェース規格を実装するセル間でハンドオーバを実行するように構成される、装置。
（２０）  実施態様１４に記載の装置において、
第３のエアインターフェース規格に従って通信するように構成された第３の無線装置構成要素をさらに含む、装置。
【００５７】
（２１）  実施態様１４に記載の装置において、
前記第１のエアインターフェース規格に従って開始される通信は、第１のネットワークアドレスと関連している、装置。
（２２）  実施態様２１に記載の装置において、
セル内ハンドオーバに対応した、前記第２のエアインターフェース規格に従った通信は、前記第１のネットワークアドレスと関連している、装置。
（２３）  実施態様１４に記載の装置において、
前記第２のエアインターフェース規格に従って開始される通信は、第２のネットワークアドレスと関連している、装置。
（２４）  実施態様２３に記載の装置において、
セル内ハンドオーバに対応した、前記第１のエアインターフェース規格に従った通信は、前記第２のネットワークアドレスと関連している、装置。
（２５）  実施態様１４に記載の装置において、
前記通信トンネルは、モバイルＩＰ通信トンネルに対応する、装置。
【図面の簡単な説明】
【００５８】
【図１】ピコセルの実施形態の機能的ブロック図である。
【図２】複数のピコセルを含む異種ネットワークの実施形態のブロック図である。
【図３Ａ】ハンドオフメカニズムの一実施形態を示す、図２の異種ネットワークのブロック図である。
【図３Ｂ】ハンドオフメカニズムの一実施形態を示す、図２の異種ネットワークのブロック図である。
【図４Ａ】単一のピコセル内におけるハンドオフメカニズムの方法体系を示す。
【図４Ｂ】単一のピコセル内におけるハンドオフメカニズムの方法体系を示す。
【図５】ＬＴＥからＷｉ‐Ｆｉへの、ピコセル内におけるハンドオフプロセスを示す。
【図６】Ｗｉ‐ＦｉからＬＴＥへの、ピコセル内におけるハンドオフプロセスを示す。
【図７Ａ】ピコセル間のハンドオフのための制御メカニズムの実施形態を示す。
【図７Ｂ】ピコセル間のハンドオフのための制御メカニズムの実施形態を示す。
【図７Ｃ】ピコセル間のハンドオフのための制御メカニズムの実施形態を示す。
【図８】ピコセル間のハンドオフの別の実施形態を示す。
【図９Ａ】異種ネットワーク内部のクオリティ・オブ・サービス規格の変換（translation）の実施形態を示す。
【図９Ｂ】異種ネットワーク内部のクオリティ・オブ・サービス規格の変換の実施形態を示す。
【図９Ｃ】異種ネットワーク内部のクオリティ・オブ・サービス規格の変換の実施形態を示す。
【図１０】ピコセルの実施形態を用いた、リアルタイムロケーションシステム（ＲＬＴＳ）を示す。
【図１】
2014529979.tif 000003
【図２】
2014529979.tif 000004
【図３Ａ】
2014529979.tif 000005
【図３Ｂ】
2014529979.tif 000006
【図４Ａ】
2014529979.tif 000007
【図４Ｂ】
2014529979.tif 000008
【図５】
2014529979.tif 000009
【図６】
2014529979.tif 000010
【図７Ａ】
2014529979.tif 000011
【図７Ｂ】
2014529979.tif 000012
【図７Ｃ】
2014529979.tif 000013
【図８】
2014529979.tif 000014
【図９Ａ】
2014529979.tif 000015
【図９Ｂ】
2014529979.tif 000016
【図９Ｃ】
2014529979.tif 000017
【図１０】
2014529979.tif 000018
【国際調査報告】
2014529979.tif 000019
2014529979.tif 000020
2014529979.tif 000021